(57)【要約】【課題】ごみ焼却施設などにおいて使用される処理剤として、大掛かりな付帯設備を要さず、しかもダイオキシンを分解し、かつ、重金属を固定化できる。【解決手段】酸化鉄及びリン系化合物とを含むことを特徴とするダイオキシン及び重金属を含有する廃棄物の処理剤である。焼却炉２と焼却炉２からの排ガスが通るガス流路とガス流路に接続される集塵器９とを有するごみ焼却施設１００において、前記処理剤をガス流路内の排ガス中に添加し、添加後に集塵器９内で捕集された処理剤を含む飛灰に対して水分を加え、混練する。あるいは、集塵器９に集まった飛灰に、処理剤を添加し、この処理剤の添加後に飛灰を加熱し、その後水分を加え混練する。【選択図】　　図１
2004066202.tif 000002
【特許請求の範囲】
【請求項１】
酸化鉄及びリン系化合物を含むことを特徴とするダイオキシン類及び重金属を含有する廃棄物の処理剤。
【請求項２】
リン系化合物は、リン酸系の化合物であることを特徴とする請求項１に記載のダイオキシン類及び重金属を含有する廃棄物の処理剤。
【請求項３】
焼却炉と、焼却炉で発生した排ガスが通るガス流路と、排ガスに含まれる飛灰を捕集する集塵器とを備える焼却施設における、ダイオキシン類及び重金属を含有する排ガス及び飛灰の処理方法であって、
前記ガス流路内の排ガス中に、請求項１又は２に記載の処理剤を粉末状で添加し、この処理剤の添加後に前記集塵器で捕集された処理剤を含む飛灰に対して、水分を加え混練することを特徴とする排ガス及び飛灰の処理方法。
【請求項４】
前記処理剤は、前記排ガス１Ｎｍ３に対して前記酸化鉄が１００〜１０００ｍｇであって、かつ、前記集塵器で捕集された処理剤を含む飛灰中のリン系化合物の濃度が１〜５重量％になるように、添加することを特徴とする請求項３に記載の排ガス及び飛灰の処理方法。
【請求項５】
焼却炉と焼却炉から発生する排ガスに含まれる飛灰を捕集する集塵器とを備える焼却施設における、ダイオキシン類及び重金属を含有する飛灰の処理方法であって、
前記集塵器で捕集された飛灰に請求項１又は２に記載の処理剤を添加し、この処理剤の添加後に飛灰を３００〜５００℃に加熱し、その後水分を加え混練することを特徴とする飛灰の処理方法。
【請求項６】
前記処理剤は、前記処理剤を含む飛灰中のリン系化合物の濃度が１〜５重量％、酸化鉄の濃度が１〜１０重量％になるように添加することを特徴とする請求項５に記載の飛灰の処理方法。
【発明の詳細な説明】
【０００１】
【発明の属する技術分野】
本発明は、ダイオキシン類及び重金属を含有する廃棄物の処理剤、この処理剤を用いた排ガス及び飛灰の処理方法及び飛灰の処理方法に関する。
【０００２】
【従来の技術】
一般ごみや産業廃棄物などをごみ焼却施設で焼却する際に、不完全燃焼や塩化水素の存在を起因として発生するダイオキシン類が社会問題となっている。ごみ焼却施設におけるダイオキシンの発生を抑えるべく、特開２００１−７９３５２号公報に示すような酸化鉄粉を主とする処理剤が開発されている。この公報では、処理剤を焼却炉から集塵器までの間において排ガス中に噴霧することで、排ガス中のダイオキシンを酸化鉄で分解することが記載されている。
【０００３】
【発明が解決しようとする課題】
ところで、焼却により発生した飛灰の中には、鉛、カドミウム、水銀、クロム、ヒ素、セレンなどの有害な重金属が多く含まれており、灰を処分するにあたっては、重金属の溶出や飛散を防止するため、不溶化処理が必要である。
上記公報に開示された酸化鉄を主とする薬剤は、ダイオキシンを分解することはできるが、重金属を不溶化することはできない。よって、灰に対して、ダイオキシン用の処理剤とは別に重金属固定化用のコンクリートやキレート剤といった処理剤を投入しなければならず、そのための設備、例えば薬剤の貯留槽、送液ライン、ポンプ、混合槽などからなる付帯設備を多く設けなければならない。
【０００４】
本発明の課題は、ごみ焼却施設などにおいて使用される処理剤として、大掛かりな付帯設備を要さずに、ダイオキシンを分解し、かつ、重金属を不溶化できる処理剤とこの処理剤を用いた処理方法を提供することにある。
【０００５】
【課題を解決するための手段】
以上の課題を解決するため、請求項１に記載の発明は、
酸化鉄及びリン系化合物とを含むことを特徴とするダイオキシン類及び重金属を含有する廃棄物の処理剤である。
請求項１に記載の発明によれば、酸化鉄によりダイオキシン類を分解し、リン系化合物により重金属を不溶化処理することができ、１つの薬剤で両方を無害化処理することができる上に、薬剤を投入する装置などの設備が１つで済み付帯設備も小さいものでよい。
請求項１で、ダイオキシン類とは、毒性がある各種ダイオキシン及びそれらの前駆体である。
【０００６】
請求項１に記載のダイオキシン類及び重金属を含有する廃棄物の処理剤において、リン系化合物は、請求項２に記載の発明のように、リン酸系の化合物であることが好ましい。
【０００７】
請求項３に記載の発明は、
焼却炉と、焼却炉で発生した排ガスが通るガス流路と、排ガスに含まれる飛灰を捕集する集塵器とを備える焼却施設における、ダイオキシン類及び重金属を含有する排ガス及び飛灰の処理方法であって、
前記ガス流路内の排ガス中に、請求項１又は２に記載の処理剤を粉末状で添加し、この処理剤の添加後に前記集塵器で捕集された処理剤を含む飛灰に対して、水分を加え混練することを特徴とする。
【０００８】
請求項３に記載の発明によれば、排ガスに請求項１又は２に記載の処理剤を添加することで、まず排ガス中のダイオキシン類が処理剤中の酸化鉄により分解される。次いで、水分を加えて混練することで飛灰中の重金属がリン系化合物により不溶化される。すなわち、１剤化した薬剤で両方を無害化処理することができる。
その上、ダイオキシン類と重金属の処理のために１つの処理剤を投入し加湿混練といった簡単な工程や装置で済むので、それぞれの処理のために複数種類の薬剤及び薬剤用の供給装置等を必須とする工程より作業が楽で、付帯設備も少なくなる。
請求項３において、ガス流路は、いわゆる煙道だけでなく、排ガスが通過する冷却装置なども含む。
【０００９】
請求項３において、前記処理剤は、請求項４に記載の発明のように、前記排ガス１Ｎｍ３に対して前記酸化鉄が１００〜１０００ｍｇであって、かつ、前記集塵器で捕集された処理剤を含む飛灰中のリン系化合物の濃度が１〜５重量％になるように、添加することが好ましい。
酸化鉄が１００ｍｇ未満であると、排ガス中のダイオキシンの分解が完全に行われず、リン系化合物が１重量％未満であると飛灰中の重金属の不溶化が十分に進まない。また、酸化鉄が１０００ｍｇを超えたり、リン系化合物が５重量％を超えると、最終的に処分する灰量が増えること及び処理に要する薬剤コストがかさむことから好ましくない。
【００１０】
請求項５に記載の発明は、
焼却炉と焼却炉から発生する排ガスに含まれる飛灰を捕集する集塵器とを備える焼却施設における、ダイオキシン類及び重金属を含有する飛灰の処理方法であって、
前記集塵器で捕集された飛灰に請求項１又は２に記載の処理剤を添加し、この処理剤の添加後に飛灰を３００〜５００℃に加熱し、その後水分を加え混練することを特徴とする。
【００１１】
請求項５に記載の発明によれば、集塵灰に請求項１又は２に記載の処理剤を添加した後３００〜５００℃に加熱することで、まず飛灰中のダイオキシン類が処理剤中の酸化鉄により分解される。次いで、水分を加えて混練されることで灰中の重金属がリン系化合物により不溶化される。すなわち、１つの薬剤で両方を無害化処理することができる。
その上、ダイオキシン類と重金属の処理のために１つの処理剤を投入し加熱や加湿混練といった簡単な工程や装置で済むので、それぞれの処理のために複数種類の薬剤及び薬剤用の供給装置等を必須とする工程より作業が楽で、付帯設備も少なくなる。
ここで、加熱温度が３００℃より低いとダイオキシンの分解反応が促進されず、５００℃を超えると灰の金属成分などが溶けて加熱装置に悪影響を与えたりエネルギーの無駄になったりするので好ましくない。また、集塵器で捕集した飛灰に対して、集塵器内で処理剤を添加してもよいし、加熱装置などに移してから添加してもよい。
【００１２】
請求項５において、前記処理剤は、請求項６に記載の発明のように、前記処理剤を含む飛灰中のリン系化合物の濃度が１〜５重量％、酸化鉄の濃度が１〜１０重量％になるように添加することが好ましい。
リン系化合物が１重量％未満、あるいは酸化鉄が１重量％未満であると、それぞれ飛灰中の重金属の不溶化処理、ダイオキシン類の分解処理が完全に行われない。また、リン系化合物が５重量％、酸化鉄が１０重量％を超えると、最終的に処分しなければならない灰量が多くなると共に処理費用がかさむので好ましくない。
【００１３】
【発明の実施の形態】
以下、本発明のダイオキシン類及び重金属を含有する廃棄物の処理剤、及びこの処理剤による処理方法について詳細に説明する。
【００１４】
本発明の飛灰等の処理方法では、酸化鉄とリン系化合物を含む処理剤を用いる。この処理剤は、ごみ焼却施設の焼却炉で発生した排ガス及び飛灰からなる廃棄物の処理に好適に用いることができる。図１に、本発明の処理方法を適用するごみ焼却施設の例を示した。ごみ焼却施設１００は、間欠運転型、いわゆるバッチ式の焼却施設である。図１（ａ）は、後述の第１の方法で処理する場合の全体概要図を示し、同図（ｂ）は、ごみ焼却施設１００において第２の方法で処理する場合に（ａ）とは異なる箇所のみを示した図である。
【００１５】
ごみ焼却施設１００は、ごみホッパ１、焼却炉２、集塵器９、煙突１１などを備えている。ごみはごみホッパ１から焼却炉２に投入される。焼却炉２内の燃焼室３にはごみの投入量に応じて完全燃焼に必要な理論空気量の１．５〜３．５倍程度の燃焼空気が供給される。該燃焼空気としては、押込送風機１２によって吸入され、空気予熱器６によって加温された空気を用いる。押込送風機１２からの新鮮な空気は、まず空気予熱器６に送られ、ここで排ガスの一部と混合され、焼却炉２に送られる。このように排ガスの一部と混合することで、燃焼用の空気の温度を高くすることができ、空気の供給で焼却炉２の温度を下げることを防ぐ。
【００１６】
また、燃焼室３には、助燃バーナ口４が設けられている。燃焼室３の上方にはガス冷却室５が設けられ、ここで排ガスに水を噴霧することで急激に冷却する。燃焼室３で発生した排ガスは非常に高温でその温度のままダイオキシンが発生することはないが、集塵器９に向かう途中で徐々に温度が下がっていき２００〜４００℃になるとダイオキシンが発生してしまう。そこでガス冷却室５で、ダイオキシン類が発生しやすい温度域を通り越して急激に２００℃以下に冷却することで、ダイオキシン類の発生をかなり防ぐことができる。
ガス冷却室５から送出された排ガスは第１の煙道１３ａを通って、空気予熱器６、第２の煙道１３ｂを経て、集塵器９に送られる。ガス冷却室５、第１の煙道１３ａ、空気予熱器６及び第２の煙道１３ｂが本発明のガス流路である。集塵器９は、一般的に電気集塵器もしくはバグフィルタであって、ここで飛灰については集塵器９内の下部に集められ、残りのガスは第３の煙道１３ｃに送られ、誘引送風機１０によって誘導されて煙突１１から排出される。
【００１７】
集塵器９に集められた飛灰は、排出口９ａから取り出され、後述の第１の方法及び第２の方法それぞれに応じて所定の処理を施されて外部に排出される。
以下では、本発明の飛灰等の処理方法について述べる。本発明では、次に述べる２種類の処理方法でダイオキシン類及び重金属を処理する。
【００１８】
第１の方法は、ダイオキシン類及び重金属を含む排ガス及び飛灰の処理方法である。
図１（ａ）の施設を使用し、粉末状の本発明の処理剤を集塵器９よりも手前に設けられている供給口、例えば供給口１４、１５、１６、１７から排ガス中に噴霧することで供給する。本発明の処理剤は、酸化鉄とリン系化合物からなり、このうち酸化鉄が排ガス中のダイオキシンあるいはその前駆体と即座にあるいは集塵器９までの移動の過程中に接触することで分解される。
前述のようにガス冷却室５が設けられているので、煙道１３ａ、１３ｂを流れて集塵器９に向かうダイオキシンは多くはない。しかし、煙道１３ｂは例えば３００℃程度のダイオキシンが生成されやすい温度であることが多く、わずかでも前駆体などがあればここで生成されてしまうが、本発明の処理剤が存在すれば、分解が促進されダイオキシンの生成を抑制することができる。
その後、集塵器９で集められた処理剤を含む飛灰は、攪拌装置を有するミキサー２０に送られる。ミキサー２０内の飛灰に対して、スラリー状になる程度に水を供給し、攪拌する。この工程により、処理剤のリン系化合物は灰中の重金属と反応し不溶化する。
その後、スラリーは外部に排出される。
【００１９】
第１の方法における処理剤は、排ガスに対して、酸化鉄粉が１００〜１０００ｍｇ／Ｎｍ３（ノルマルリューベイ）となり、リン系化合物が処理剤を含んだ飛灰に対して１〜５重量％になるように、計算で求めて配合したものを添加する。
【００２０】
第２の方法は、ダイオキシン類及び重金属を含有する飛灰の処理方法である。図１（ｂ）の施設を使用し、集塵器９の手前では本発明の処理剤を供給せず、集塵器９で集めた飛灰を、電気加熱炉などからなる加熱装置２１に送る。飛灰が集められた加熱装置２１の中に、本発明の処理剤を投入し、３００〜５００℃、好ましくはエネルギー効率の点から４００℃以下で加熱する。このとき必要に応じて加熱装置２１内を攪拌してもよい。この温度では、処理剤中の酸化鉄と灰中のダイオキシンあるいはその前駆体が反応し、分解される。
加熱時間は、１０〜４０分が好ましい。１０分未満では完全に分解されないおそれがあり、４０分を超える時間は不要でエネルギーの無駄である。
なお、集塵器９に処理剤を投入し、その後加熱装置２１に移送してもよい。
【００２１】
この後、ダイオキシンが分解された飛灰は、攪拌装置を有するミキサー２０に送られる。ミキサー２０内の飛灰に対して、スラリー状になる程度に水を供給し、攪拌する。この工程により、リン系化合物は灰中の重金属と反応し不溶化する。ここでは温度制御は特に必要ではない。
その後、外部に排出される。
【００２２】
第２の方法における添加量は、処理剤を含む飛灰のリン系化合物濃度が１〜５重量％、酸化鉄が１〜１０重量％になるように配合したものを添加する。
【００２３】
第１の方法及び第２の方法いずれでも、ごみ焼却施設１００に処理剤供給装置を設け、そこから、酸化鉄及びリン系化合物の粉末を混合した本発明の処理剤を供給すればよい。
なお、本発明に係る処理剤を他の薬剤と混合して、添加してもよい。
例えば、排ガス中のダイオキシンを吸着除去あるいは分解するためにごみ焼却施設１００には、活性炭や、酸性ガスを中和する消石灰、生石灰、炭酸カルシウム、酸化マグネシウム、炭酸マグネシウム及びドロマイト等のアルカリ土類金属化合物、炭酸ナトリウム、炭酸水素ナトリウム及び炭酸水素カリウム等のアルカリ金属化合物などを投入する薬剤投入装置が設けられていてもよい。活性炭や酸性ガスを中和する前記薬剤と共に、あるいは別に、前記薬剤投入装置から、本発明の処理剤を排ガス中に噴霧してもよい。
また、ごみ焼却施設１００には、集塵器９のバグフィルタのろ過性能を向上させるためろ過助剤添加装置が設けられていてもよい。その場合、ろ過助剤である珪藻土やパーライト等と本発明の処理剤を混合して、あるいはろ過助剤とは別に前記処理剤のみを、ろ過助剤添加装置から排ガス中に噴霧してもよい。
【００２４】
なお、図１では、バッチ式の焼却施設を示したが、本発明の処理方法は大型の連続運転炉を有する施設で適用してもよいことは勿論である。一般的には、連続運転炉は高温で焼却しつづけることから、ごみを完全燃焼させやすく、ダイオキシン類の発生は少ない。これに比較して、間欠的に運転するバッチ式の炉では、一定時間ごとに焼却炉を運転するため、運転を停止するとき、また再び運転を開始するときに、不完全燃焼が発生しやすく、ダイオキシン類が発生しやすい。よって、本発明の処理方法は、特にバッチ式の焼却炉に好適に用いることができる。
【００２５】
次に、本発明のダイオキシン類及び重金属を含有する廃棄物の処理剤について説明する。本発明の処理剤は、酸化鉄及びリン系化合物を含むことを特徴とする。
酸化鉄は、ゲータイト、アカゲナイト、レピドクロサイト等の含水酸化鉄、ヘマタイト、マグヘマイト、マグネタイト等の酸化鉄、やこれらの混合物である。
【００２６】
酸化鉄は、粉末状であることが好ましく、その平均粒径としては、１〜５０μｍの範囲であればよいが、使用方法によって好ましい粒径が異なる。本発明の処理剤を排ガスに直接吹き込みようにして添加する第１の方法では、酸化鉄粉が直接排ガス中のダイオキシン及びその前駆体と接触しやすいように小さい粉末がよく、１〜５μｍがよい。１μｍ未満の大きさでは、粒子が細かすぎて集塵器９のフィルターを通り抜けてしまうことがあり集塵性能が低下するので好ましくなく、５μｍを超えると落下しやすくため排ガス中のダイオキシンと接触する率が減り、また集塵器９までの移動が十分に行われないため、ダイオキシン発生を効率よく抑制することができない。
【００２７】
また、前記処理剤を飛灰に混合する第２の方法では、灰と混ざる大きさであればよく、１〜５０μｍが好ましい。１μより小さいと飛散しやすいので取扱い上好ましくなく、５０μｍを超えると粒が大きすぎて、灰のダイオキシン及びその前駆体と接触する面積が少なくなり、ダイオキシン抑制効果が低い。
【００２８】
本発明の処理剤の中にあって、リン系化合物は、飛灰の中にあって、水の存在下で重金属と反応し不溶化する。
リン系化合物としては、リン酸、亜リン酸、次亜リン酸やこれらの塩などのリン酸系の化合物が好ましい。具体的に、リン酸としては、正リン酸、次亜リン酸、亜リン酸、次リン酸、メタリン酸、ピロリン酸、三リン酸（トリポリリン酸）、ヘキサメタリン酸、その他のポリリン酸が挙げられる。リン酸塩としては、これらのリン酸の塩、リン酸２水素塩、リン酸水素塩などが挙げられ、例えば、リン酸カルシウム、リン酸ナトリウム、ピロリン酸ナトリウム、ヘキサメタリン酸ナトリウム、リン酸２水素ナトリウム、リン酸水素２ナトリウム等が挙げられる。この中でも、空気中でも粉末で比較的安定に存在することから、ヘキサメタリン酸ナトリウム、ピロリン酸ナトリウムが好ましい。
【００２９】
これらリン系化合物は、酸化鉄粉とともに粉末で加えられ、平均粒径としては１〜５０μｍであればよい。詳細には、排ガス中に処理剤を吹き入れる第１の方法では、１〜５μｍがよい。１μｍより小さい場合酸化鉄粉同様の理由により集塵器９の能力を低下させるため好ましくない。貯蔵時の分級を避けるため酸化鉄と同じ粒径が好ましい。５０μｍより大きいと集塵器９まで排ガスとともに移動しにくいので好ましくない。
第２の方法では、灰と混ざる大きさであればよく、１〜５０μｍが好ましい。１μより小さいと飛散しやすいので取扱い上好ましくない。貯蔵時の分級を避けるため酸化鉄と同じ粒径が好ましい。
【００３０】
なお、前記特開２００１−７９３５２号公報には、リンは酸化鉄粉の触媒毒として作用するので好ましくない旨が記載されているが、水分がなければ、リン系化合物は反応しないのでほとんど触媒毒としては働かない。本発明では、まず酸化鉄粉でダイオキシンを分解し、その後水を加えているので、両者が別々の段階で機能するので問題はない。
また、本発明の廃棄物の処理剤は、ごみ焼却施設以外における廃棄物の処理に使用してもよく、重金属とダイオキシンで汚染された土壌や底質などの無害化処理にも応用することもできる。
【００３１】
【実施例】
以下に実施例を挙げて本発明を具体的に説明するが、本発明はこれら実施例に限定されるものではない。
＜実施例１＞
１日３０トンの焼却能力を有する、図１（ａ）のごみ焼却施設１００とほぼ同様のバッチ式のごみ焼却施設において、第１の方法で排ガス及び飛灰を処理した。電気式の集塵器の手前の煙道から、酸化鉄粉４重量部に対しヘキサメタリン酸１重量部を混合した本発明の処理剤Ａを排ガス中に噴霧した。このときの混入量は、排ガス１Ｎｍ３につき処理剤５００ｍｇであった。このとき、酸化鉄粉は、排ガスに対して４００ｍｇ／Ｎｍ３であって、ヘキサメタリン酸は集塵器で捕集した飛灰及び処理剤の混合物中、４重量％であった。
集塵器の出口の排ガスのダイオキシン類の濃度を、所定の方法により測定した。
また、集塵器内の処理剤Ａを含む飛灰をミキサーに移し、水をスラリー状になるまで加えながら混練し、得られたスラリー中の鉛の溶出量を環境庁告示１３号試験に基づいて測定した。
測定により得られたダイオキシン濃度及び鉛濃度の結果を表１に示した。
【００３２】
＜比較例１＞
処理剤Ａの代わりに、処理剤Ａで用いた酸化鉄粉だけからなる処理剤Ｂを４００ｍｇ／Ｎｍ３吹き入れる以外は、実施例１と全く同様の方法で処理を行い、排ガスのダイオキシン類濃度と飛灰の鉛溶出量を測定した。
【００３３】
＜実施例２＞
１日３０トンの焼却能力を有する、図１（ｂ）のごみ焼却施設１００とほぼ同様のバッチ式のごみ焼却施設において、第２の方法で飛灰を処理した。電気式の集塵器に集めた飛灰を加熱装置に移し、そこで、実施例１と同じ処理剤Ａを、処理剤を含む飛灰に対して、処理剤Ａの濃度が５重量％になるように添加した。
加熱装置で４００℃で３０分加熱した後、灰を所定量採取し、ダイオキシン類濃度を実施例１と同様の方法で測定した。さらに加熱後の飛灰と処理剤をミキサーに移し、水をスラリー状になるまで加えながら混練し、得られたスラリーの鉛の溶出量を実施例１同様に測定した。
測定により得られたダイオキシン濃度及び鉛濃度の結果を表１に示した。
なお、実施例２で、集塵器に集めた灰は、それより手前の工程で薬剤によるダイオキシン分解処理を行っていないものである。
【００３４】
＜比較例２＞
処理剤Ａの代わりに、比較例１の処理剤Ｂを使用する以外は、実施例２と全く同様の方法で、処理を行い、飛灰中のダイオキシン類濃度と灰からの鉛溶出量を測定した。
【００３５】
【表１】
2004066202.tif 000003
【００３６】
表１の結果から、本発明の処理剤Ａを用いることで、排ガス中に吹き入れる第１の方法でも、飛灰の中に投入する第２の方法でも、酸化鉄からなる処理剤Ｂと同程度ダイオキシン類の濃度を下げることができる。しかも、飛灰中の鉛については、処理剤Ｂと比較すると鉛溶出量が約２０分の１となり、重金属である鉛も不溶化できたことが分かる。
従来品と同様である処理剤Ｂを使用した場合、重金属の処理のために別な工程や装置が必要であるが、本発明では、ダイオキシンと重金属の処理のために１つの処理剤を投入し加熱や加湿混練といった簡単な工程や装置で済むので、それぞれの処理のために複数種類の薬剤及び薬剤用の供給装置等を必須とする工程より作業が楽で、付帯設備も少なくなる。
【００３７】
【発明の効果】
本発明によれば、酸化鉄によりダイオキシン類を分解し、リン系化合物により重金属を不溶化処理することができ、１つの薬剤で両方を無害化処理することができる上に、薬剤を投入する装置などの設備が１つで済み付帯設備も小さいものでよい。
【図面の簡単な説明】
【図１】本発明の飛灰等の処理方法を適用したごみ焼却施設の例を示す図で、（ａ）は第１の方法を適用する場合の構成図であり、（ｂ）は第２の方法を適用する場合の構成の一部を示す図である。
【符号の説明】
１　　ごみホッパ
２　　焼却炉
３　　燃焼室
５　　冷却室
６　　空気予熱器
９　　集塵器
１１　煙突
１３ａ　　第１の煙道
１３ｂ　　第２の煙道
１３ｃ　　第３の煙道
２０　　　ミキサー
２１　　　加熱装置
【図１】
2004066202.tif 000004